【手続補正書】
【提出日】令和3年6月11日(2021.6.11)
【手続補正１】
【補正対象書類名】特許請求の範囲
【補正対象項目名】全文
【補正方法】変更
【補正の内容】
【特許請求の範囲】
【請求項１】
熱交換器（１）において第２の媒体によって加熱されるように配設された第１の媒体内の液滴の存在を除去するためのシステムであって、前記熱交換器（１）は、（ｉ）前記第１の媒体のための入口ポート（２）および出口ポート（３）と、（ｉｉ）前記第２の媒体のための入口ポート（６）および出口ポート（７）とを有し、前記第２の媒体は前記第１の媒体に熱を伝達し、
前記システムは、
ａ）前記熱交換器（１）を出ていく前記第１の媒体の温度を測定するように構成されている第１の温度センサアレイ（１０）であって、前記第１の温度センサアレイ（１０）は少なくとも１つの温度センサを含む、第１の温度センサアレイ（１０）と、
ｂ）少なくとも、前記熱交換器および前記第１の温度センサアレイ（１０）への前記第１の媒体のフローを調整するためのデバイス（４０、４１）に接続されたコントローラ（５０）と
を含むシステムであって、
前記システムは、前記コントローラ（５０）に接続され、前記熱交換器（１）に入る前記第２の媒体の温度を測定するように構成された、第２の温度センサアレイ（１５）をさらに含み、前記第２の温度センサアレイ（１５）は少なくとも１つの温度センサを含み、
前記コントローラ（５０）は、前記熱交換器（１）への前記第１の媒体のフローを調整するための前記デバイス（４０、４１）を、前記第１の温度センサアレイ（１０）および前記第２の温度センサアレイ（１５）から受信したデータに基づいて制御するように構成され、
前記コントローラ（５０）は、前記第２の温度センサアレイ（１５）と前記第１の温度センサアレイ（１０）との間の測定された温度差が設定温度（Ｔｓｅｔ）より高い場合には、前記第１の媒体のフローを調整するための前記デバイス（４０、４１）を、前記熱交換器（１）への前記第１の媒体の前記フローを削減するように制御するように構成され、
前記設定温度よりも高い温度差は、第１の媒体の前記出口ポートを通過する液滴の存在を示し、
前記コントローラ（５０）は、前記第２の温度センサアレイ（１５）と前記第１の温度センサアレイ（１０）との間の測定された温度差が前記設定温度（Ｔｓｅｔ）以下となるまで、前記第１の媒体のフローを調整するための前記デバイス（４０、４１）を、前記熱交換器への前記第１の媒体の前記フローを削減するように制御するように構成される、
ことを特徴とする、システム。
【請求項２】
前記第１の温度センサアレイ（１０）は、第１の温度センサＡ（１０Ａ）および第１の温度センサＢ（１０Ｂ）である少なくとも２つの温度センサを含み、前記コントローラ（５０）は、前記第２の温度センサアレイ（１５）と、前記第１の温度センサＡ（１０Ａ）および前記第１の温度センサＢ（１０Ｂ）のいずれかとの間の測定された温度差が前記設定温度（Ｔｓｅｔ）よりも高い場合には、前記第１の媒体のフローを調整するための前記デバイス（４０、４１）を、前記熱交換器（１）への前記第１の媒体の前記フローを削減するように制御するように構成され、前記コントローラ（５０）は、前記第２の温度センサアレイ（１５）と、前記第１の温度センサＡ（１０Ａ）および前記第１の温度センサＢ（１０Ｂ）のいずれかとの間の測定された温度差が、前記設定温度（Ｔｓｅｔ）以下となるまで、前記第１の媒体のフローを調整するための前記デバイス（４０、４１）を、前記熱交換器への前記第１の媒体の前記フローを削減するように制御するように構成される、請求項１に記載のシステム。
【請求項３】
前記第１の温度センサアレイ（１０）は、前記第１の媒体の熱交換器出口ポート（３）において、（ｉ）前記第１の媒体の前記熱交換器出口ポート（３）の前、（ｉｉ）前記第１の媒体の前記熱交換器出口ポート（３）、および／または（ｉｉｉ）前記第１の媒体の前記熱交換器出口ポート（３）の後で好ましくは前記第１の媒体を前記熱交換器から遠くへ誘導するチューブ内の位置に配設される、請求項１または２に記載のシステム。
【請求項４】
前記第１の温度センサＡ（１０Ａ）および前記第１の温度センサＢ（１０Ｂ）は、（ｉ）前記第１の媒体の熱交換器出口ポート（３）からほぼ等しい距離に、または（ｉｉ）前記第１の媒体の熱交換器出口ポート（３）から等しくない距離に配置される、請求項２または３に記載のシステム。
【請求項５】
前記第１の温度センサＡ（１０Ａ）および前記第１の温度センサＢ（１０Ｂ）は、（ｉ）前記第１の媒体の熱交換器出口ポート（３）の前に、（ｉｉ）前記第１の媒体の熱交換器出口ポート（３）に、および／または（ｉｉｉ）前記第１の媒体の熱交換器出口ポート（３）の後に、周方向位置０〜３６０°に配置され、好ましくは、前記第１の温度センサＡ（１０Ａ）および前記第１の温度センサＢ（１０Ｂ）は、（ｉ）トップ位置に、および／または（ｉｉ）ボトム位置に、および／または（ｉｉｉ）前記周方向位置内で＋／−４５°の角度に、および／または（ｉｖ）前記出口ポート内のどこにでも配置される、請求項２から４のいずれか一項に記載のシステム。
【請求項６】
前記設定温度（Ｔｓｅｔ）は前記システムのプロセス条件に依存し、好ましくは、前記プロセス条件は以下のこと、すなわち、第１の媒体として使用される媒体の種類、第２の媒体として使用される媒体の種類、前記システム内の圧力およびフロー、周囲温度、選択された過熱温度（ΔＴｏｖｅｒｈｅａｔ）、前記熱交換器の入口ポート６と出口ポート７との間の前記第２の媒体の温度差、のうちの少なくとも１つである、請求項１から５のいずれか一項に記載のシステム。
【請求項７】
前記設定温度は、好ましくは１０℃、より好ましくは５℃、さらにより好ましくは３℃、最も好ましくは２℃である、請求項１から６のいずれか一項に記載のシステム。
【請求項８】
前記コントローラは、比例積分微分（ＰＩＤ）コントローラ、またはプログラマブルロジックコントローラ（ＰＬＣ）内のＰＩＤコントローラである、請求項１から７のいずれか一項に記載のシステム。
【請求項９】
前記第１および第２の温度センサアレイ（１０、１５）の前記温度センサのうちの前記少なくとも１つは抵抗温度検出器であり、好ましくは、前記第１および第２の温度センサアレイの前記温度センサのうちの少なくとも１つは白金抵抗温度計であり、より好ましくは、前記第１および第２の温度センサアレイの前記温度センサのうちの少なくとも１つは０℃における公称抵抗１０から１０００オームを有する白金抵抗温度計である、請求項１から８のいずれか一項に記載のシステム。
【請求項１０】
前記第１および第２の温度センサアレイ（１０、１５）の前記温度センサのうちの前記少なくとも１つは、少なくとも１つの温度測定ワイヤ（１０Ａ）であり、好ましくは、互いに交差していてもしていなくてもよい２つの温度測定ワイヤ（１０Ａ、１０Ｂ）であり、より好ましくは、互いに対して平行に、垂直に、または任意の角度のいずれかで構成された少なくとも２つの温度測定ワイヤ（１０Ａ、１０Ｂ）であり、より好ましくは、少なくとも４つの温度測定ワイヤ（１０Ａ、１０Ｂ、１０Ｃ、１０Ｄ）であって、前記ワイヤのうちの２つ（１０Ａ、１０Ｂ）は互いに対して平行に構成され、一方他の２つのワイヤ（１０Ｃ、１０Ｄ）は互い平行に構成されると同時に、他の２つのワイヤ（１０Ａ、１０Ｂ）に対して垂直に構成される、少なくとも４つの温度測定ワイヤである、請求項１から９のいずれか一項に記載のシステム。
【請求項１１】
熱交換器（１）において第２の媒体によって加熱されるように配設された第１の媒体内の液滴の存在を除去するための方法であって、前記方法は、
ａ．第２の媒体および第１の媒体を、前記第２の媒体から前記第１に媒体に熱を伝達するために熱交換器（１）を通して誘導するステップであって、前記熱交換器（１）は、
ｉ．前記第１の媒体のための入口ポート（２）および出口ポート（３）であって、前記第１の媒体は、それに対して熱が伝達される媒体である、入口ポート（２）および出口ポート（３）と、
ｉｉ．前記第１の媒体に熱を伝達する第２の媒体のための入口ポート（６）および出口ポート（７）と
を含む、ステップと、
ｂ．前記熱交換器（１）への前記第１の媒体の前記フローを、前記フローを調整するためのデバイス（４０、４１）を使用して調整するステップと、
ｃ．前記熱交換器（１）を出ていく前記第１の媒体の温度を、第１の温度センサアレイ（１０）を使用して測定するステップであって、前記第１の温度センサアレイ（１０）は、少なくとも１つの温度センサを含む、ステップと
を含み、
ｄ．前記熱交換器（１）に入る前記第２の媒体の温度を、第２の温度センサアレイ（１５）を使用して測定するステップであって、前記第２の温度センサアレイ（１５）は、少なくとも１つの温度センサを含む、ステップと、
ｅ．前記熱交換器（１）への前記第１の媒体のフローを調整するための前記デバイス（４０、４１）を、前記第１の温度センサアレイ（１０）および第２の温度センサアレイ（１５）から受信したデータに基づいて、少なくとも、（ｉ）前記熱交換器（１）への前記第１の媒体の前記フローを調整するための前記デバイス（４０、４１）、（ｉｉ）第１の温度センサアレイ（１０）、および（ｉｉｉ）第２の温度センサアレイ（１５）、に接続されたコントローラ（５０）を使用して制御するステップと、
ｆ．前記第１の温度センサアレイ（１０）および第２の温度センサアレイ（１５）から受信したデータを比較するステップと、
ｇ．前記第２の温度センサアレイ（１５）と前記第１の温度センサアレイ（１０）との間の測定された温度差が設定温度（Ｔｓｅｔ）よりも高い場合には、前記熱交換器への前記第１の媒体の前記フローを削減するステップであって、前記設定温度よりも高い温度差は、前記第１の媒体の前記熱交換器出口ポート（３）を通過する液滴の存在を示し、前記コントローラ（５０）は、前記第２の温度センサアレイ（１５）と前記第１の温度センサアレイ（１０）との間の測定された温度差が、前記設定温度（Ｔｓｅｔ）以下となるまで、前記フローを調整するための前記デバイス（４０、４１）を、前記熱交換器（１）への前記第１の媒体の前記フローを削減するように制御するように構成される、ステップと
を特徴とする、方法。
【請求項１２】
前記第１の温度センサアレイ（１０）は、第１の温度センサＡ（１０Ａ）および第１の温度センサＢ（１０Ｂ）である２つの温度センサを含み、前記コントローラ（５０）は、前記第２の温度センサアレイ（１５）と、前記第１の温度センサＡ（１０Ａ）および前記第１の温度センサＢ（１０Ｂ）のいずれかとの間の測定された温度差が前記設定温度（Ｔｓｅｔ）よりも高い場合には、前記フローを調整するための前記デバイス（４０、４１）を、前記熱交換器（１）への前記第１の媒体の前記フローを削減するように制御するように構成され、前記コントローラ（５０）は、前記第２の温度センサアレイ（１５）と、前記第１の温度センサＡ（１０Ａ）および前記第１の温度センサＢ（１０Ｂ）のいずれかとの間の測定された温度差が、前記設定温度（Ｔｓｅｔ）以下となるまで、前記フローを調整するための前記デバイス（４０、４１）を、前記熱交換器（１）への前記第１の媒体の前記フローを削減するように制御するように構成される、請求項１１に記載の方法。
【請求項１３】
前記設定温度（Ｔｓｅｔ）の値を設定するステップであって、前記設定温度（Ｔｓｅｔ）の値は、前記システムのプロセス条件に依存して設定され、好ましくは、前記プロセス条件は以下のこと、すなわち、第１の媒体として使用される媒体の種類、第２の媒体として使用される媒体の種類、前記システム内の圧力およびフロー、周囲温度、選択された過熱温度ΔＴｏｖｅｒｈｅａｔ、前記熱交換器の入口ポート６と出口ポート７との間の前記第２の媒体の温度差、のうちの少なくとも１つである、ステップを含む、請求項１１または１２に記載の方法。
【請求項１４】
前記設定温度の値は、１０℃、より好ましくは５℃、さらにより好ましくは３℃、最も好ましくは２℃に設定される、請求項１３に記載の方法。
【請求項１５】
発電プラントにおける請求項１から１０のいずれか一項に記載の前記システムまたは請求項１１から１４のいずれか一項に記載の方法の使用であって、好ましくは前記発電プラントは、ランキンサイクル、カリーナサイクル、炭素担体サイクルおよびカルノーサイクルからなる群から選択された熱力学的サイクルを採用し、より好ましくは前記発電プラントは、熱発電機であって、前記発電プラントは、循環する第１の媒体と、前記第１の媒体が第２の媒体によって加熱されるように配設される熱交換器（１）であって、前記熱交換器は気体を生成する前記第１の媒体を沸騰または蒸発させるように構成される、熱交換器と、前記気体を膨張させつつ電力を生成するように構成された発電デバイス（２５）に連結されたタービン（２０）と、前記発電デバイスを通過してしまった前記気体を凝縮するように構成された凝縮器装置（３０）と、前記熱交換器（１）への前記凝縮された第１の媒体のフローを調整するためのデバイス（４０、４１）とを含む、使用。